【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
異なる複数の記録装置のそれぞれが対応するコマンドの情報を含むコマンド情報を記憶する記憶部と、
接続された前記記録装置から、当該記録装置が対応するコマンドの情報を含む対応コマンド情報を取得する対応コマンド取得部と、
前記対応コマンド取得部で取得された前記対応コマンド情報と、前記記憶部で記憶する前記コマンド情報に基づき、接続された前記記録装置が対応するコマンドを生成し、接続された前記記録装置に出力する記録制御部と、
を備えることを特徴とする制御装置。
【請求項２】
前記記録装置は、前記対応コマンド情報の応答を要求する要求コマンドに応じて、前記対応コマンド情報を応答する構成であり、
前記対応コマンド取得部は、
前記要求コマンドを出力し、前記対応コマンド情報を取得する請求項１に記載の制御装置。
【請求項３】
前記記録制御部は、
前記対応コマンド取得部で得された前記対応コマンド情報に基づいて、接続された前記記録装置が対応するコマンドを示す情報を、前記コマンド情報と関連づけて前記記憶部に記憶する請求項１又は２に記載の制御装置。
【請求項４】
前記記録制御部は、
接続された前記記録装置が対応していないコマンドに基づく処理を行わせる場合、当該処理を、接続された前記記録装置が対応するコマンドのいずれかにより代替して実行させることができるときには、当該対応する代替可能なコマンドを前記記録装置に出力する請求項１ないし３のいずれか１項に記載の制御装置。
【請求項５】
前記記録制御部は、
接続された前記記録装置が対応していないコマンドに基づく処理を行わせる場合、当該処理を、接続された前記記録装置が対応するコマンドの中のいずれかの組み合わせにより代替して実行させることができるときには、当該接続された前記記録装置が対応するコマンドを組み合わせて出力する請求項１ないし３のいずれか１項に記載の制御装置。
【請求項６】
前記記録制御部は、
前記接続された前記記録装置が対応するコマンドを組み合わせて出力する際の、当該コマンドの出力の手順に係る情報を記憶し、
前記接続された前記記録装置が対応するコマンドを組み合わせて当該記録装置に出力する場合は、当該手順に係る情報に基づいて行う請求項５に記載の制御装置。
【請求項７】
接続された記録装置から、当該記録装置が対応するコマンドの情報を含む対応コマンド情報を取得し、
取得した前記対応コマンド情報と、記憶する異なる複数の前記記録装置のそれぞれに対応するコマンドの情報を含むコマンド情報に基づき、接続された前記記録装置が対応するコマンドを生成し、
接続された前記記録装置に出力することを特徴とする制御装置の制御方法。
【請求項８】
制御装置を制御する制御部を、
接続された記録装置から、当該記録装置が対応するコマンドの情報を含む対応コマンド情報を取得する対応コマンド取得部と、
前記対応コマンド取得部で取得された前記対応コマンド情報と、記憶部で記憶する異なる複数の前記記録装置のそれぞれが対応するコマンドの情報を含むコマンド情報に基づき、接続された前記記録装置が対応するコマンドを生成し、接続された前記記録装置に出力する記録制御部と、
として機能させることを特徴とするプログラム。
【手続補正２】
【補正対象書類名】明細書
【補正対象項目名】０００５
【補正方法】変更
【補正の内容】
【０００５】
上記目的を達成するために、本発明は、異なる複数の記録装置のそれぞれが対応するコマンドの情報を含むコマンド情報を記憶する記憶部と、接続された前記記録装置から、当該記録装置が対応するコマンドの情報を含む対応コマンド情報を取得する対応コマンド取得部と、前記対応コマンド取得部で取得された前記対応コマンド情報と、前記記憶部で記憶する前記コマンド情報に基づき、接続された前記記録装置が対応するコマンドを生成し、接続された前記記録装置に出力する記録制御部と、を備えることを特徴とする。
この構成によれば、制御装置側で、接続された記録装置が対応しているコマンドを取得、管理し、記録装置の対応しているコマンドに即したコマンドを出力することにより、記録装置を制御する。このため、対応しているコマンドが異なる複数の記録装置のそれぞれを、記録装置が対応しているコマンドを反映して、制御可能となる。この場合、接続された記録装置が対応していないコマンドの送信は行わない。
【手続補正３】
【補正対象書類名】明細書
【補正対象項目名】０００６
【補正方法】変更
【補正の内容】
【０００６】
また、上記発明の制御装置であって、本発明は、前記記録装置は、前記対応コマンド情報の応答を要求する要求コマンドに応じて、前記対応コマンド情報を応答する構成であり、前記対応コマンド取得部は、前記要求コマンドを出力し、前記対応コマンド情報を取得することを特徴とする。
この構成によれば、対応コマンド取得部は、要求コマンドを利用して、記録装置との間で簡素な手続きの通信を行うことにより、対応コマンド情報を取得できる。また、記録装置を要求コマンドに対して応答可能な構成とすれば、制御装置は、記録装置の対応コマンド情報を取得できるため、記録装置を制御するためのソフトウェア等の開発容易性も向上する。
【手続補正４】
【補正対象書類名】明細書
【補正対象項目名】０００７
【補正方法】変更
【補正の内容】
【０００７】
また、上記発明の制御装置であって、本発明は、前記記録制御部は、前記対応コマンド取得部で得された前記対応コマンド情報に基づいて、接続された前記記録装置が対応するコマンドを示す情報を、前記コマンド情報と関連づけて前記記憶部に記憶することを特徴とする。
この構成によれば、出力可能なコマンドのうち、接続された記録装置が対応しているコマンドが何であるかを適切に管理でき、当該記録装置が対応しているコマンドを利用した記録装置の制御が可能となる。
【手続補正５】
【補正対象書類名】明細書
【補正対象項目名】０００８
【補正方法】変更
【補正の内容】
【０００８】
また、上記発明の制御装置であって、本発明は、前記記録制御部は、接続された前記記録装置が対応していないコマンドに基づく処理を行わせる場合、当該処理を、接続された前記記録装置が対応するコマンドのいずれかにより代替して実行させることができるときには、当該対応する代替可能なコマンドを前記記録装置に出力することを特徴とする。
この構成によれば、接続された記録装置が対応していないコマンドであっても、代替可能な他のコマンドを利用して、当該対応していないコマンドに係る処理と同様の処理を記録装置に行わせることが可能となる。
【手続補正６】
【補正対象書類名】明細書
【補正対象項目名】０００９
【補正方法】変更
【補正の内容】
【０００９】
また、上記発明の制御装置であって、本発明は、前記記録制御部は、接続された前記記録装置が対応していないコマンドに基づく処理を行わせる場合、当該処理を、接続された前記記録装置が対応するコマンドの中のいずれかの組み合わせにより代替して実行させることができるときには、当該接続された前記記録装置が対応するコマンドを組み合わせて出力することを特徴とする。
ここで、接続された記録装置が対応していないコマンドについて、当該記録装置が対応しているコマンドの中の組み合わせによって代替できる場合がある。
これを踏まえ、上記構成によれば、接続された記録装置が対応していないコマンドであっても、他のコマンドを組み合わせて利用して、当該対応していないコマンドに係る処理と同様の処理を記録装置に行わせることが可能となる。この場合、一のコマンドと、代替可能なコマンドの組合せに関する情報を記憶部に記憶しておくことが好ましい。
【手続補正７】
【補正対象書類名】明細書
【補正対象項目名】００１０
【補正方法】変更
【補正の内容】
【００１０】
また、上記発明の制御装置であって、本発明は、前記記録制御部は、前記接続された前記記録装置が対応するコマンドを組み合わせて出力する際の、当該コマンドの出力の手順に係る情報を記憶し、前記接続された前記記録装置が対応するコマンドを組み合わせて当該記録装置に出力する場合は、当該手順に係る情報に基づいて行うことを特徴とする。
この構成によれば、記録装置が対応していないコマンドに代替可能となるようにコマンドを組み合わせて出力する際に、記録装置との間で、確実、かつ、スムーズな通信を実行できる。
【手続補正８】
【補正対象書類名】明細書
【補正対象項目名】００１１
【補正方法】変更
【補正の内容】
【００１１】
また、上記目的を達成するために、本発明は、接続された記録装置から、当該記録装置が対応するコマンドの情報を含む対応コマンド情報を取得し、取得した前記対応コマンド情報と、記憶する異なる複数の前記記録装置のそれぞれに対応するコマンドの情報を含むコマンド情報に基づき、接続された前記記録装置が対応するコマンドを生成し、接続された前記記録装置に出力することを特徴とする。
この制御方法によれば、制御装置側で、接続された記録装置が対応しているコマンドを取得、管理し、記録装置の対応しているコマンドに即したコマンドを出力することにより、記録装置を制御する。このため、対応しているコマンドが異なる複数の記録装置のそれぞれを、記録装置が対応しているコマンドを反映して、制御可能となる。この場合、接続された記録装置が対応していないコマンドの送信は行わない。
【手続補正９】
【補正対象書類名】明細書
【補正対象項目名】００１２
【補正方法】変更
【補正の内容】
【００１２】
また、上記目的を達成するために、本発明は、制御装置を制御する制御部を、接続された記録装置から、当該記録装置が対応するコマンドの情報を含む対応コマンド情報を取得する対応コマンド取得部と、前記対応コマンド取得部で取得された前記対応コマンド情報と、記憶部で記憶する異なる複数の前記記録装置のそれぞれが対応するコマンドの情報を含むコマンド情報に基づき、接続された前記記録装置が対応するコマンドを生成し、接続された前記記録装置に出力する記録制御部と、として機能させることを特徴とする。
このプログラムを実行すれば、制御装置側で、接続された記録装置が対応しているコマンドを取得、管理し、記録装置の対応しているコマンドに即したコマンドを出力することにより、記録装置を制御する。このため、対応しているコマンドが異なる複数の記録装置のそれぞれを、記録装置が対応しているコマンドを反映して、制御可能となる。この場合、接続された記録装置が対応していないコマンドの送信は行わない。